(57)【特許請求の範囲】
【請求項１】
各々に表示部を備えた二つの筐体を、ヒンジ部を介して折り畳み可能に接続して成る端末装置であって、
前記各筐体の重力方向に対する角度を検出し、前記二つの筐体のうちいずれかが重力方向に対して略水平でかつその筐体に備えられた表示部が重力方向に対して上を向いているか否かを判別する傾き判別手段と、
前記二つの筐体の見開き角度を検出し、その見開き角度が所定の角度より大きいか否かを判別する見開角度判別手段と、
前記傾き判別手段により少なくとも一方の筐体が重力方向に対して略垂直であると判別され、かつ前記見開角度判別手段により見開き角度が所定の角度より大きいと判別された場合に、少なくとも一方の筐体に備えられた表示部の表示を簡易型の文字入力のための表示とし、前記傾き判別手段により一方の筐体が重力方向に対して略水平でかつその筐体に備えられた表示部が重力方向に対して上を向いていると判別され、かつ前記見開角度判別手段により見開き角度が所定の角度より大きいと判別された場合に、前記重力方向に対して略水平と判別された筐体に備えられた表示部の表示を非簡易型の文字入力のための表示に切り替える表示制御手段と、
を備えることを特徴とする端末装置。
【請求項２】
前記表示制御手段が切り替える文字入力のための表示は、ソフトウェアキーボードである、
ことを特徴とする請求項１記載の端末装置。
【請求項３】
前記表示制御手段が切り替える文字入力のための表示は、手書き文字入力ための表示である、
ことを特徴とする請求項１記載の端末装置。
【請求項４】
前記二つの表示部の少なくとも一方に文字入力を利用する表示を行っているか否かを判別する文字入力判別手段を更に備え、
前記表示制御手段は、更に前記文字入力判別手段により前記二つの表示部の少なくとも一方に文字入力を利用する表示を行っていると判別された場合に、前記重力方向に対して略水平でかつ表示部が重力方向に対して上を向いている筐体に備えられた表示部の表示を非簡易型の文字入力のための表示に切り替えるととともに、他方の筐体に備えられた表示部の表示を前記文字入力判別手段により判別された文字入力を利用する表示に切り替える、
ようにしたことを特徴とする請求項１〜３のいずれかに記載の端末装置。
【請求項５】
前記表示制御手段は、更に前記文字入力判別手段により前記二つの表示部の両方に文字入力を利用する表示を行っていると判別された場合に、前記重力方向に対して略水平の筐体に備えられた表示部の表示を、他方の筐体に備えられた表示部の表示に切り替える、
ようにしたことを特徴とする請求項４記載の端末装置。
【請求項６】
前記二つの表示部の少なくとも一方に文字入力を利用する表示を行っているか否かを判別する文字入力判別手段を更に備え、
前記表示制御手段は、更に前記文字入力判別手段により前記二つの表示部のいずれでも文字入力を利用する表示を行っていないと判別された場合に、前記重力方向に対して略水平でかつ表示部が重力方向に対して上を向いている筐体に備えられた表示部の表示を非簡易型の文字入力のための表示に切り替えるととともに、他方の筐体に備えられた表示部の表示を、文字入力を利用する所定の機能の表示に切り替える、
ようにしたことを特徴とする請求項１〜３のいずれかに記載の端末装置。
【請求項７】
コンピュータに対して、
ヒンジ部を介して折り畳み可能に接続され、各々に表示部を備えた二つの筐体の重力方向に対する角度を検出し、前記二つの筐体のうちいずれかが重力方向に対して略水平でかつその筐体に備えられた表示部が重力方向に対して上を向いているか否かを判別する機能と、
前記二つの筐体の見開き角度を検出し、その見開き角度が所定の角度より大きいか否かを判別する機能と、
前記少なくとも一方の筐体が重力方向に対して略垂直であると判別され、かつ前記見開き角度が所定の角度より大きいと判別された場合に、少なくとも一方の筐体に備えられた表示部の表示を簡易型の文字入力のための表示とし、前記一方の筐体が重力方向に対して略水平でかつその筐体に備えられた表示部が重力方向に対して上を向いていると判別され、かつ見開き角度が所定の角度より大きいと判別された場合に、前記重力方向に対して略水平と判別された筐体に備えられた表示部の表示を非簡易型の文字入力のための表示に切り替える機能と、
を実現させるためのプログラム。
【発明の詳細な説明】
【技術分野】
【０００１】
本発明は、各々に表示部を備えた二つの筐体を、ヒンジ部を介して折り畳み可能に接続して成る端末装置及びプログラムに関する。
【背景技術】
【０００２】
近年、携帯電話機などの端末装置にあっては、その高機能化に伴って画面サイズの拡大化が進んでいるが、持ち運ぶという特質上、画面サイズが制限されてしまうため、複数の表示部を備えることで大画面化を実現化するようにしている。例えば、二つの筐体を、ヒンジ部を介して折り畳み可能に連結した端末装置にあっては、各筐体に表示部をそれぞれ配設することにより、見開き本のように二つの表示部を開くようにすることで大画面化を実現化するようにしている。
【０００３】
このように二つの表示部を備えた見開き型の端末装置においては、見開き本のように複数頁の情報を割り当て表示する利用の仕方のほかに、例えば、一方の表示部にソフトウェアキーボード（タッチパネル式のキーボード）を表示させ、このソフトウェアキーボードから入力された文字を他方の表示部に表示させるという利用の仕方などがあるが、一方の表示部にソフトウェアキーボードを表示させるには、特別なキー操作を行う必要がある。そこで、従来では、例えば、表示情報に含まれている文字入力指示を検出した際に、表示部にソフトウェアキーボードを自動的に表示させるようにした技術が開示されている（特許文献１参照）。
【先行技術文献】
【特許文献】
【０００４】
【特許文献１】特開２００３−７６４７７号公報
【発明の概要】
【発明が解決しようとする課題】
【０００５】
しかしながら、上述した先行技術にあっては、特別な操作を行うことなく、キーボードを自動的に表示させることができるが、表示情報の中に文字入力指示が含まれていても、ユーザにとって必ずしも文字入力を必要としている場合とは限らず、不必要なキーボードの表示であれば、それを解除する操作が新たに必要となり、かえってユーザに負担をかけることにもなる。
【０００６】
本発明の課題は、特別なキー操作を行うことなく、文字入力を行おうとするユーザの意図に合わせて、二つの表示部のいずれか一方の表示部の表示を文字入力のための表示に切り替えることができるようにすることである。
【課題を解決するための手段】
【０００７】
上述した課題を解決するために請求項１記載の発明は、
各々に表示部を備えた二つの筐体を、ヒンジ部を介して折り畳み可能に接続して成る端末装置であって、
前記各筐体の重力方向に対する角度を検出し、前記二つの筐体のうちいずれかが重力方向に対して略水平でかつその筐体に備えられた表示部が重力方向に対して上を向いているか否かを判別する傾き判別手段と、
前記二つの筐体の見開き角度を検出し、その見開き角度が所定の角度より大きいか否かを判別する見開角度判別手段と、
前記傾き判別手段により少なくとも一方の筐体が重力方向に対して略垂直であると判別され、かつ前記見開角度判別手段により見開き角度が所定の角度より大きいと判別された場合に、少なくとも一方の筐体に備えられた表示部の表示を簡易型の文字入力のための表示とし、前記傾き判別手段により一方の筐体が重力方向に対して略水平でかつその筐体に備えられた表示部が重力方向に対して上を向いていると判別され、かつ前記見開角度判別手段により見開き角度が所定の角度より大きいと判別された場合に、前記重力方向に対して略水平と判別された筐体に備えられた表示部の表示を非簡易型の文字入力のための表示に切り替える表示制御手段と、
を備えることを特徴とする。
【０００８】
請求項１に従属する発明として、
前記表示制御手段が切り替える文字入力のための表示は、ソフトウェアキーボードである、
ことを特徴とする、請求項２記載の発明であってもよい。
【０００９】
請求項１に従属する発明として、
前記表示制御手段が切り替える文字入力のための表示は、手書き文字入力ための表示である、
ことを特徴とする、請求項３記載の発明であってもよい。
【００１０】
請求項１〜３のいずれかに従属する発明として、
前記二つの表示部の少なくとも一方に文字入力を利用する表示を行っているか否かを判別する文字入力判別手段を更に備え、
前記表示制御手段は、更に前記文字入力判別手段により前記二つの表示部の少なくとも一方に文字入力を利用する表示を行っていると判別された場合に、前記重力方向に対して略水平でかつ表示部が重力方向に対して上を向いている筐体に備えられた表示部の表示を非簡易型の文字入力のための表示に切り替えるととともに、他方の筐体に備えられた表示部の表示を前記文字入力判別手段により判別された文字入力を利用する表示に切り替える、
ようにしたことを特徴とする、請求項４記載の発明であってもよい。
【００１１】
請求項４に従属する発明として、
前記表示制御手段は、更に前記文字入力判別手段により前記二つの表示部の両方に文字入力を利用する表示を行っていると判別された場合に、前記重力方向に対して略水平の筐体に備えられた表示部の表示を、他方の筐体に備えられた表示部の表示に切り替える、
ようにしたことを特徴とする、請求項５記載の発明であってもよい。
【００１２】
請求項１〜３のいずれかに従属する発明として、
前記二つの表示部の少なくとも一方に文字入力を利用する表示を行っているか否かを判別する文字入力判別手段を更に備え、
前記表示制御手段は、更に前記文字入力判別手段により前記二つの表示部のいずれでも文字入力を利用する表示を行っていないと判別された場合に、前記重力方向に対して略水平でかつ表示部が重力方向に対して上を向いている筐体に備えられた表示部の表示を非簡易型の文字入力のための表示に切り替えるととともに、他方の筐体に備えられた表示部の表示を、文字入力を利用する所定の機能の表示に切り替える、
ようにしたことを特徴とする、請求項６記載の発明であってもよい。
【００１３】
また、上述した課題を解決するために請求項７記載の発明は、
コンピュータに対して、
ヒンジ部を介して折り畳み可能に接続され、各々に表示部を備えた二つの筐体の重力方向に対する角度を検出し、前記二つの筐体のうちいずれかが重力方向に対して略水平でかつその筐体に備えられた表示部が重力方向に対して上を向いているか否かを判別する機能と、
前記二つの筐体の見開き角度を検出し、その見開き角度が所定の角度より大きいか否かを判別する機能と、
前記少なくとも一方の筐体が重力方向に対して略垂直であると判別され、かつ前記見開き角度が所定の角度より大きいと判別された場合に、少なくとも一方の筐体に備えられた表示部の表示を簡易型の文字入力のための表示とし、前記一方の筐体が重力方向に対して略水平でかつその筐体に備えられた表示部が重力方向に対して上を向いていると判別され、かつ見開き角度が所定の角度より大きいと判別された場合に、前記重力方向に対して略水平と判別された筐体に備えられた表示部の表示を非簡易型の文字入力のための表示に切り替える機能と、
を実現させるためのプログラム、であることを特徴とする。
【発明の効果】
【００１４】
本発明によれば、特別なキー操作を行うことなく、文字入力を行おうとするユーザの意図に合わせて、二つの表示部のいずれか一方の表示部の表示を文字入力のための表示に切り替えることができ、利便性に富んだものとなる。
【図面の簡単な説明】
【００１５】
【図１】（１）、（２）は、端末装置として適用した携帯電話機においてそのスタイルの変更に応じた表示状態を説明するための図。
【図２】携帯電話機の基本的な構成要素を示したブロック図。
【図３】携帯電話機の全体動作のうち、本実施形態の特徴部分の動作概要（アプリケーション処理）を示したフローチャート。
【図４】図３の動作に続くフローチャート。
【図５】（１）、（２）は、携帯電話機のスタイルの変更に応じたほかの表示状態（図１とは異なる他の表示状態）を説明するための図。
【図６】（１）、（２）は、携帯電話機においてのスタイルの変更に応じた表示状態（図１、図５とは異なる他の表示状態）を説明するための図。
【発明を実施するための形態】
【００１６】
図１〜図６を参照して本発明の実施形態を説明する。
本実施形態は、端末装置として携帯電話機に適用した場合を例示したもので、図１は、この携帯電話機の外観図を示すとともに、そのスタイルの変更に応じた表示状態を説明するための図である。
携帯電話機は、通話機能、電子メール機能、インターネット接続機能（Ｗｅｂアクセス機能）のほか、テレビ受信機能、電子ブック閲覧機能などを備えたもので、図１に示すように、各々に表示部を備えた二つの筐体、つまり、表示部筐体１、２を、ヒンジ部３を介して折り畳み自在（開閉自在）に取り付けた折り畳みタイプ（開閉式）の携帯電話機である。なお、電子ブック閲覧機能は、複数頁分のデータを表示部筐体１、２の表示部に頁順にそれぞれ割り当て表示させる機能である。
【００１７】
表示部筐体１は、表示部４を備えた筐体であり、表示部筐体２は、表示部５を備えた筐体で、この表示部筐体１、２は、同形同大の長方体を成している。図１（１）は、縦長の表示部筐体１、２が横並びとなるように見開いた状態（横開き状態）、つまり、端末筐体全体が横長となるような縦向きにした状態を示し、この縦向き状態（横開き状態）では、表示部筐体１が図中、左側に位置し、表示部筐体２が右側に位置するようになる。ヒンジ部３は、表示部筐体１、２を重ね合わせた状態から見開き状態（略１８０°見開いた状態）に開閉可能とする連結部であり、以下、図１（１）に示すような見開き状態をブックスタイルと呼称する。このブックスタイルでは、表示部筐体１に備えられた表示部４と表示部筐体２に備えられた表示部５とは横並びの近接状態となる。
【００１８】
表示部４、５は、同形同大の長方形で、筐体の正面略全域に配置された液晶表示部や有機ＥＬ（エレクトロルミネッセンス）部などであり、図１（１）の例は、二つの表示部４、５に対応して二つの機能（アプリケーション）を同時に起動させている場合（ユーザが二つの機能を起動して別々の表示部で見る場合）を示している。すなわち、図中、左側に位置する表示部筐体１に備えられた表示部４に対応して、文字入力を利用する機能としてメール作成機能を起動した場合を示し、この表示部４の下半分の領域には、ソフトウェアキーボード（タッチパネル式のキーボード）としてテンキー式の文字入力キーボードが表示され、その上半分の領域には、文字入力を利用する機能として、例えば、メール作成機能で作成中のメール文が表示されている。また、図１（１）の例は、図中、右側に位置する表示部筐体２に備えられた表示部５に対応して、文字入力を利用しない閲覧視聴系の機能としてＷｅｂブラウザ機能を起動した場合を示し、この表示部５の全域には文字入力を利用しないＷｅｂブラウザ画面が表示されている。
【００１９】
図２は、携帯電話機の基本的な構成要素を示したブロック図である。
制御部１１は、二次電池を備えた電源部１２からの電力供給によって動作し、記憶部１３内の各種のプログラムに応じてこの携帯電話機の全体動作を制御するもので、この制御部１１には図示しないＣＰＵ（中央演算処理装置）やメモリなどが設けられている。記憶部１３は、ＲＯＭ、ＲＡＭなどの内部メモリで、図示しないプログラム領域とデータ領域とを有し、この記憶部１３内のプログラム領域には、後述する図３及び図４に示す動作手順に応じて本実施形態を実現するためのプログラムが格納されている。また、記憶部１３内のデータ領域には、各種のフラグ情報、携帯電話機の動作に必要な各種の情報が記憶されている。なお、記憶部１３は、例えば、ＳＤカード、ＩＣカードなど、着脱自在な可搬型メモリ（記録メディア）を含む構成であってもよく、あるいは図示しない所定の外部サーバ上に記憶部１３を有する構成であってもよい。
【００２０】
表示部４、５は、タッチスクリーン（タッチ画面）ＴＡ、ＴＢを構成するもので、表示部４、５の表面に対応する指の接触を検出する接触操作部（透明なタッチパネル）６、７を積層配設することによってタッチ画面ＴＡ、ＴＢが構成されている。ここで、接触操作部６、７は、静電容量方式でも抵抗膜方式でもよく、また、接触の他に操作器具や指の押し込み（押圧）を検出可能とする圧電方式であってもよいが、本実施形態では、操作器具（ペン）や指の押圧を検出可能とする圧電方式を使用している。
【００２１】
そして、表示部４、５（タッチ画面ＴＡ、ＴＢ）は、ダイヤル入力、文字入力、コマンド入力などを入力可能なもので、ソフトウェアキーボード（タッチパネル式のキーボード）やソフトウェア手書き入力パッド（touchpad：タッチパネル式の手書き入力パッド）が表示される。制御部１１は、タッチ画面ＴＡ、ＴＢからの操作信号に応じた処理として、例えば、発信処理、電子メール受信処理など、各種の処理を行う。また、タッチ画面ＴＡ、ＴＢは、待受画像、アイコン、日時情報のほか、テキストデータ、メール、Ｗｅｂページなどを表示する。
【００２２】
無線通信部１４は、図示しない無線部、ベースバンド部、多重分離部などを備え、例えば、音声通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調して制御部１１に与え、制御部１１は、電話部１５を介して通話用スピーカＳＰから音声出力させ、また、通話用マイクＭＣからの入力音声データを電話部１５から取り込み、送信ベースバンド信号に符号化した後、ベースバンド部の送信側に与えてアンテナＡＴ１から発信出力させる。テレビ放送受信部１６は、地上波デジタルテレビ放送を受信するもので、アンテナＡＴ２から放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データを解凍したりするなどを行うデジタル回路部を有している。
【００２３】
見開き角度検出部１７は、ヒンジ部３に内蔵されていて、表示部筐体１、２が見開いたときの角度（見開き角度）を検出するもので、ヒンジ部３の回転に応じて回転する可動接点が固定接点に接触することにより見開き角（例えば、０°〜１８０°）を検出するロータリタイプのスイッチ構造となっているが、その構成は任意であり、光学的、磁気的に検出する構成であってもよい。なお、見開き角は、０°〜１８０°に限らず、０°〜３６０°であってもよい。この見開き角度検出部１７による検出結果に基づいて制御部１１は、見開き角度は、所定の角度（本実施形態では略１２０°）であるか否かを判別するようにしている。なお、略１２０°とは、例えば、１１０°〜１３０°であるが、それに限らず、１００°〜１２０°などであってもよい。
【００２４】
筐体傾き検出部１８は、ヒンジ部３を介して表示部筐体１、２を見開いた状態においてその見開きと同方向における各筐体の傾き角度を検出する３軸タイプの加速度センサで、表示部筐体１、２内の基板に実装されたもので、表示部筐体１、２の重力方向に対する角度を検出し、重力方向に対して略水平で、かつその筐体に備えられた表示部が重力方向に対して上を向いているか否かを検出する。この筐体傾き検出部１８からの検出結果に基づいて制御部１１は、二つの表示部筐体１、２のうち、どちらの筐体が略水平で、かつその筐体に備えられた表示部が重力方向に対して上を向いているか否かを判別する。この場合、制御部１１は、見開き角度検出部１７、筐体傾き検出部１８の検出結果に基づいて、二つの表示部筐体１、２のうち、机面などに載置された一方の筐体（略水平な筐体）に備えられた表示部の表示を文字入力のための表示に切り替えるようにしている。
【００２５】
すなわち、制御部１１は、一方の筐体が重力方向に対して略水平で、かつその筐体に備えられた表示部が重力方向に対して上を向いていると判別し、かつ見開き角度が所定の角度より大きいと判別した場合に、重力方向に対して略水平と判別した筐体に備えられた表示部の表示を文字入力のための表示に切り替えるようにしている。図１（２）は、机面などに一方の筐体（略水平な筐体）が載置され、かつ見開き角度が略１２０°の場合を示したものであるが、以下、このような状態をノートＰＣスタイルと呼称する。
【００２６】
ここで、図示の例では、表示部筐体１を机面などに載置して略水平な状態とした場合であるから、表示部筐体１に備えられた表示部４には、文字入力のための表示として、例えば、ソフトウェアキーボード（タッチパネル式のフルキーボード）が表示され、他方の表示部筐体２に備えられた表示部５には、図１（１）に示したブックスタイルにおいて文字入力を利用する表示として、表示部４に表示されていた内容（作成中のメール文）がそのまま表示部５に継続して表示される。なお、本実施形態において、文字とは、平仮名、片仮名などのほか、数値、記号、図形、画像、手書き文字などをも含む広義の情報を意味している（以下、同様）。
【００２７】
次に、本実施形態における携帯電話機の動作概念を図３及び図４に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００２８】
図３及び図４は、携帯電話機の全体動作のうち、本実施形態の特徴部分の動作概要（アプリケーション処理）を示したフローチャートである。この図３及び図４のフローから抜けた際には、全体動作のメインフロー（図示省略）に戻る。以下、図３及び図４のフローチャートを図１、図５、図６に示す具体例を参照しながら説明するものとする。
先ず、制御部１１は、二つの表示部４、５に対応して二つの機能を起動させるために、その起動対象としての各機能（アプリケーション）が選択指定されると（ステップＳ１）、一つ目の表示部４に対応して指定された機能を起動させるとともに、その機能の起動によって得られた情報を表示部４に表示させるほか（ステップＳ２）、二つ目の表示部５に対応して指定された機能を起動させるとともに、その機能の起動によって得られた情報を表示部５に表示させる（ステップＳ３）。
【００２９】
そして、制御部１１は、見開き角度検出部１７、筐体傾き検出部１８の検出結果に基づいて、表示部筐体１、２の開閉状態として、図１（１）に示したようなブックスタイルであるかを調べ（ステップＳ４）、ブックスタイル以外の開閉状態であれば（ステップＳ４でＮＯ）、その開閉状態に応じた利用形態（スタイル）でのモードに応じた動作を実行した後（ステップＳ５）、その動作における終了指示の有無を調べる（ステップＳ６）。ここで、終了指示が行われなければ（ステップＳ６でＮＯ）、上述のステップＳ４に戻るが、終了指示が行われたときには（ステップＳ６でＹＥＳ）、図３及び図４のフローから抜ける。また、ブックスタイルであれば（ステップＳ４でＹＥＳ）、このブックスタイルのモードに応じた動作を開始する（ステップＳ７）。なお、図示省略したが、ブックスタイルにおいて終了指示が行われたときにも図３及び図４のフローから抜ける。このブックスタイルにおいて制御部１１は、筐体傾き検出部１８から検出結果を取得し、その検出結果に基づいて表示部筐体１、２のうち、一方の筐体が重力方向に対して略水平であるかを調べたり（ステップＳ８）、その筐体に備えられた表示部が重力方向に対して上を向いているかを調べたりする（ステップＳ９）。
【００３０】
いま、一方の筐体が重力方向に対して略水平ではない場合（ステップＳ８でＮＯ）、やその筐体に備えられた表示部が重力方向に対して上を向いていない場合には（ステップＳ９でＮＯ）、ブックスタイルであるかをチェックする上述のステップＳ４に戻る。また、一方の筐体が重力方向に対して略水平でかつその筐体に備えられた表示部が重力方向に対して上を向いている場合には（ステップＳ８及びＳ９でＹＥＳ）、見開き角度検出部１７から検出結果を取得し、その検出結果に基づいて見開き角度は略１２０°（例えば、１００°〜１４０°）であるかを調べる（ステップＳ１０）。ここで、見開き角度が略１２０°でなければ（ステップＳ１０でＮＯ）、ブックスタイルであるかをチェックする上述のステップＳ４に戻るが、見開き角度が略１２０°であれば（ステップＳ１０でＹＥＳ）、ブックスタイルからノートＰＣスタイルに変更されたものとして、以下、図４のフローに移り、ノートＰＣスタイルに応じた処理に移る。
【００３１】
すなわち、表示部筐体１、２のうち少なくとも一方の筐体に備えられた表示部に文字入力を利用する表示を行っているか否かを調べ（ステップＳ１１）、いずれかの表示部で文字入力を利用する表示を行っている場合には（ステップＳ１１でＹＥＳ）、文字入力を利用する表示を両方の筐体に備えられた表示部で行っているかを調べる（ステップＳ１２）。いま、一方の表示部に文字入力を利用する表示を行っている場合には（ステップＳ１２でＮＯ）、文字入力を利用する表示を行っている表示部に対応して現在実行中の機能を有効とするためにその機能をそのまま継続して実行させ（ステップＳ１３）、他方の表示部に対応して現在実行中の機能を無効とするためにその機能を停止させた後（ステップＳ１４）、後述するステップＳ１８に移る。ここで、図１（１）の例において、表示部４には、文字入力利用機能（メール作成機能）で作成中のメール文が表示され、表示部５には文字入力を利用しない閲覧視聴系の機能（Ｗｅｂブラウザ機能）によって得られたＷｅｂブラウザ画面が表示されているので、文字入力利用機能であるメール作成機能が有効となり、閲覧視聴系の機能であるＷｅｂブラウザ機能が無効となる。
【００３２】
また、文字入力を利用する表示を両方の表示部で行っている場合には（ステップＳ１２でＹＥＳ）、表示部筐体１、２のうち、どちらの筐体が略水平な筐体であるかを判別し（ステップＳ１５）、略水平な筐体に備えられた表示部に対応して現在実行中の機能を有効とするためにその機能をそのまま継続して実行させるほか（ステップＳ１６）、他の筐体に備えられた表示部に対応して現在実行中の機能を無効とするためにその機能を停止させる（ステップＳ１７）。例えば、文字入力利用機能（メール作成機能）で作成中のメール文が表示部４に表示され、文字入力利用機能（文章作成のワープロ機能）で作成中の文章が表示部５に表示されている状態において、略水平な筐体が表示部筐体２の場合には、ワープロ機能が有効となり、メール作成機能が無効となる。
【００３３】
そして、予めユーザ操作により任意に設定されている入力フラグ（図示せず）を参照し、文字入力のための表示として、ソフトウェアキーボード（タッチパネル式のキーボード）が選択されているのかソフトウェア手書き入力パッド（タッチパネル式の手書き入力パッド）が選択されているのかを調べる（ステップＳ１８）。いま、文字入力のための表示としてソフトウェアキーボードが選択されている場合には（ステップＳ１８）、上述のステップＳ１５で判別された略水平な筐体に備えられた表示部の全域に、ソフトウェアキーボード（フルキーボード）を表示させるとともに（ステップＳ１９）、上述のステップＳ１６で有効化された機能によって得られた情報を他の筐体に備えられた表示部に表示させる（ステップＳ２０）。そして、ノートＰＣスタイルのモードに応じた動作として現在有効な機能の動作を開始させた後（ステップＳ２１）、図３のステップＳ４に戻る。
【００３４】
図１（２）の場合、略水平な表示部筐体１に備えられた表示部４には、文字入力のための表示として、ソフトウェアキーボード（フルキーボード）が表示され、他方の表示部筐体２に備えられた表示部５には、図１（１）に示したブックスタイルにおいて文字入力を利用する表示として、表示部４に表示されていた内容（作成中のメール文）がそのまま継続表示される。この場合、表示部５は、図１（１）のブックスタイルでは縦長状態となり、図１（２）のノートＰＣスタイルでは横長状態となるため、文頭の書き始め位置や桁数などは変更されるが、改行位置などは、そのまま継続される。
【００３５】
また、文字入力のための表示としてソフトウェア手書き入力パッド（タッチパネル式の手書き入力パッド）が選択されている場合には（ステップＳ１８）、上述のステップＳ１５で判別された略水平な筐体に備えられた表示部の全域に、ソフトウェア手書き入力パッド（複数桁分の文字入力用の手書き入力パッド）を表示させるとともに（ステップＳ２２）、上述のステップＳ１６で有効化された機能によって得られた情報を他の筐体に備えられた表示部に表示させる（ステップＳ２３）。そして、ノートＰＣスタイルのモードに応じた動作として現在有効な機能の動作を開始させた後（ステップＳ２１）、図３のステップＳ４に戻る。
【００３６】
図５は、文字入力のための表示として、ソフトウェア手書き入力パッドを例示したものである。図５（１）は、図１（１）と同様のブックスタイルでの表示状態を示し、表示部筐体１に備えられた表示部４の下半分の領域には、ソフトウェアキーボードに代わり、ペンを使用して文字を手書き入力するソフトウェア手書き入力パッド（１桁分の文字入力用の手書き入力パッド）が表示され、表示部４の上半分の領域には、文字入力利用機能（メール作成機能）で作成中のメール文が表示されている。また、表示部筐体２に備えられた表示部５には、図１（１）と同様、閲覧視聴系の機能（Ｗｅｂブラウザ機能）のＷｅｂブラウザ画面が表示されている。
【００３７】
図５（２）は、図１（２）と同様のノートＰＣスタイルでの表示状態を示し、表示部筐体１に備えられた表示部４には、文字入力のための表示として、ソフトウェア手書き入力パッド（例えば、４桁分の文字入力用の手書き入力パッド）が表示され、他方の表示部筐体２に備えられた表示部５には、図５（１）に示したブックスタイルにおいて文字入力を利用する表示として、表示部４に表示されていた内容（作成中のメール文）がそのまま表示部５に継続して表示される。
【００３８】
他方、文字入力を利用する表示をいずれの表示部４、５で行っていない場合には（ステップＳ１１でＮＯ）、つまり、表示部４、５に閲覧視聴系の機能の表示がそれぞれ行われている場合には、この両方の表示部４、５に対応して現在実行中の機能をそれぞれ無効とするために、各機能を停止させる（ステップＳ２４）。そして、表示部筐体１、２のうち、どちらの筐体が略水平な筐体であるかを判別するとともに（ステップＳ２５）、上述した入力フラグ（図示せず）を参照して、文字入力のための表示として、ソフトウェアキーボード（タッチパネル式のキーボード）が選択されているのかソフトウェア手書き入力パッド（タッチパネル式の手書き入力パッド）が選択されているのかを調べる（ステップＳ２６）。
【００３９】
いま、文字入力のための表示としてソフトウェアキーボードが選択されている場合には（ステップＳ２６）、上述のステップＳ２５で判別された略水平な筐体に備えられた表示部の全域に、ソフトウェアキーボード（フルキーボード）を表示させる（ステップＳ２７）。また、文字入力のための表示としてソフトウェア手書き入力パッド（タッチパネル式の手書き入力パッド）が選択されている場合には（ステップＳ２６）、上述のステップＳ２５で判別された略水平な筐体に備えられた表示部の全域に、ソフトウェア手書き入力パッド（例えば、４桁分の文字入力用の手書き入力パッド）を表示させる（ステップＳ２８）。
【００４０】
そして、文字入力を利用する所定機能（例えば、メール作成機能、ワープロ機能、メモ機能など）を起動させた後（ステップＳ２９）、他方の筐体に備えられた表示部の表示を、メール作成機能、ワープロ機能、メモ機能などの所定機能の表示に切り替える（ステップＳ３０）。この所定機能は、予めユーザ操作により任意に選択指定された機能（文字入力を利用する機能）であるが、それに限らず、固定的に決められた機能であってもよい。そして、ノートＰＣスタイルのモードに応じた動作として所定機能の動作を開始させた後（ステップＳ２１）、図３のステップＳ４に戻る。
【００４１】
図６は、文字入力を利用する表示をいずれの表示部４、５で行っていない場合の表示例を示した図である。図６（１）は、図１（１）と同様のブックスタイルでの表示状態を示し、表示部筐体１に備えられた表示部４に対応して、閲覧視聴系の機能としてのテレビ機能を起動することにより、表示部４にはテレビ放送受信部１６で受信したテレビ画面が表示されている。また、表示部筐体２に備えられた表示部５に対応して、図１（１）と同様、閲覧視聴系の機能（Ｗｅｂブラウザ機能）を起動することにより、表示部５にはＷｅｂブラウザ画面が表示されている。
【００４２】
このように表示部４、５にそれぞれ閲覧視聴系の機能の表示が行われ、文字入力を利用する表示をいずれの表示部４、５でも行っていない状態において、ブックスタイルから図１（２）と同様のノートＰＣスタイルに変更されると、このノートＰＣスタイルでの表示状態は、図６（２）に示すようになる。すなわち、図１（２）と同様に、ノートＰＣスタイルでは、表示部筐体１に備えられた表示部４には、文字入力のための表示として、ソフトウェアキーボード（タッチパネル式のフルキーボード）が表示されるが、他方の表示部筐体２に備えられた表示部５には、所定機能として、図示の例ではメール作成機能の入力画面が表示される。
【００４３】
以上のように、この実施形態において制御部１１は、表示部４を備えた表示部筐体１と表示部５を備えた表示部筐体２とがヒンジ部３を介して折り畳み可能に接続されている状態において、表示部筐体１、２のうち一方の筐体が重力方向に対して略水平で、かつその筐体に備えられた表示部が重力方向に対して上を向いていると判別するとともに表示部筐体１、２の見開き角度が所定の角度より大きいと判別した場合に、重力方向に対して略水平と判別された筐体に備えられた表示部の表示を文字入力のための表示に切り替えるようにしたので、特別なキー操作を行うことなく、文字入力を行おうとするユーザの意図に合わせて、例えば、ブックスタイルからノートＰＣスタイルに変更するだけで、いずれか一方の表示部の表示を文字入力のための表示に切り替えることができ、利便性に富んだものとなる。
【００４４】
文字入力のための表示をソフトウェアキーボードとしたので、特別なキー操作を行うことなく、ユーザの意図に合わせてソフトウェアキーボードに切り替えることができる。
【００４５】
文字入力のための表示を手書き入力パッドとしたので、特別なキー操作を行うことなく、ユーザの意図に合わせて手書き入力パッドに切り替えることができる。
【００４６】
二つの表示部４、５の少なくとも一方に文字入力を利用する表示を行っている場合に、重力方向に対して略水平でかつ表示部が重力方向に対して上を向いている筐体に備えられた表示部の表示を文字入力のための表示に切り替えるととともに、他方の筐体に備えられた表示部の表示を、上述の文字入力を利用する表示に切り替えるようにしたので、ユーザにあっては所望する文字入力を利用する表示に対して、文字入力が可能な状態に容易に切り替えることができる。
【００４７】
両方の表示部４、５に文字入力を利用する表示を行っている場合に、重力方向に対して略水平の筐体に備えられた表示部の表示を、他方の筐体に備えられた表示部の表示に切り替えるようにしたので、両方の表示部４、５に文字入力を利用する表示が行われている場合であっても、いずれの筺体を略水平にすることで、その筺体に備えられた表示部に対して、文字入力が可能な状態に容易に切り替えることができる。
【００４８】
表示部４、５のいずれでも文字入力を利用する表示を行っていない場合に、重力方向に対して略水平でかつ表示部が重力方向に対して上を向いている筐体に備えられた表示部の表示を文字入力のための表示に切り替えるととともに、他方の筐体に備えられた表示部の表示を、文字入力を利用する所定の機能の表示に切り替えるようにしたので、例えば、閲覧視聴系の機能でＷｅｂブラウザ画面を閲覧したり、テレビ放送を視聴したりしているときに、電子メールを送る必要を生じた場合に、特別なキー操作を行わなくても、文字入力が可能な状態に切り替えることができる。
【００４９】
なお、上述した実施形態においては、見開き角度の所定の角度として略１２０°の場合を例示したが、これに限らず、任意であるとともに、ユーザ操作により所定角度を任意に設定可能としてもよい。
【００５０】
また、上述した実施形態においては、縦長の表示部筐体１、２が横並びとなるように見開いた状態（横開き状態）のブックスタイルからのノートＰＣスタイルに変更される場合を例示したが、横長の表示部筐体１、２が縦並びとなるように見開いた状態（縦開き状態）のスタイル（ＤＳスタイル）からノートＰＣスタイルに変更される場合であってもよい。この場合、ＤＳスタイルの上側の表示部にメール一覧が表示され、下側の表示部にメール本文が表示されている状態において、ノートＰＣスタイルに変更されると、略水平面の筐体側の表示部に、キーボード／手書き入力パッドを表示させ、他方の筐体側の表示部にメール返信用の表示に切り替えるようにしてもよい。
【００５１】
また、上述した実施形態においては、折り畳みタイプの携帯電話機に適用した場合を示したが、２軸ヒンジタイプ、スライドタイプ、スピントップタイプなど任意の筐体構造であってもよい。その他、携帯電話機に限らず、パーソナルコンピュータ、ＰＤＡ、デジタルカメラ、音楽プレイヤーなどであってもよい。
【００５２】
また、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００５３】
１、２  表示部筐体
３  ヒンジ部
４、５、表示部（タッチ画面ＴＡ、ＴＢ）
６、７  接触操作部
１１  制御部
１３  記憶部
１７  見開き角度検出部
１８  筐体傾き検出部
【図１】
0005527811.tif 000002
【図２】
0005527811.tif 000003
【図３】
0005527811.tif 000004
【図４】
0005527811.tif 000005
【図５】
0005527811.tif 000006
【図６】
0005527811.tif 000007